(57)【特許請求の範囲】
【請求項１】
遊技機用島設備に遊技機を固定するための枠体の成形方法であって、
前記枠体は、樹脂系材料の射出成形によって略矩形状に一体成形され、
前記枠体は、略中実状に形成された角部を備え、
前記角部は、
前記角部の肉厚内にインサートされて固着された補強部材を備え、
前記補強部材は、
前記角部の一辺に沿う第１の翼片と、
前記角部の他辺に沿う第２の翼片と、
を備えた略Ｌ字状に形成されており、
前記枠体の成形方法は、
前記補強部材を、予め、成形型内に位置決めしてセットする第１工程と、
前記第１工程の後、前記樹脂系材料を前記成形型のキャビティ内に射出する第２工程と、
を備え、該成形方法で成形されることにより、前記枠体が成形されると同時に、前記角部に補強部材がインサートされて固着されることを特徴とする、
枠体の成形方法。
【発明の詳細な説明】
【０００１】
【発明の属する技術分野】
この発明は、パチンコ機（雀球機、アレンジボール機等も含む）のような弾球遊技機やスロットマシン等の遊技機に関する。
【０００２】
【従来の技術】
例えば、パチンコホール等の遊技場に設置された島設備に配列されて使用される遊技機は、その木製の枠体（外枠、外枠体、木枠等とも呼ばれる場合もある）において島設備に釘打ちによって固定されるのが一般的である。
近年、自然環境保護等を考慮し、木製の枠体を合成樹脂製の枠体に変更すること、すなわち、枠体を合成樹脂材料によって一体成形することが提案されている。
【０００３】
【発明が解決しようとする課題】
ところで、合成樹脂材料によって枠体を一体成形した場合、枠体の角部、特に、枠体の角部の内側角部において応力が集中して作用し、当該部分に亀裂やひび割れが発生する場合があった。
このため、枠体の角部の内側角部や外側角部に補強部材を取り付けて枠体を補強することが考えられる。
しかしながら、枠体の角部の内側角部や外側角部に補強部材を取り付けると見栄えが悪化する不具合が生じる場合があった。
この発明の目的は、前記問題点に鑑み、補強部材による見栄えの悪化を防止しながら枠体の角部を効率よく補強することができる樹脂系材料の成形品よりなる枠体を備えた遊技機を提供することである。
【０００４】
【課題を解決するための手段】
前記目的を達成するために、第１の発明は、請求項１に記載のとおりの構成を要旨とする。つまり、遊技機用島設備に遊技機を固定するための枠体の成形方法であって、
前記枠体は、樹脂系材料の射出成形によって略矩形状に一体成形され、
前記枠体は、略中実状に形成された角部を備え、
前記角部は、
前記角部の肉厚内にインサートされて固着された補強部材を備え、
前記補強部材は、
前記角部の一辺に沿う第１の翼片と、
前記角部の他辺に沿う第２の翼片と、
を備えた略Ｌ字状に形成されており、
前記枠体の成形方法は、
前記補強部材を、予め、成形型内に位置決めしてセットする第１工程と、
前記第１工程の後、前記樹脂系材料を前記成形型のキャビティ内に射出する第２工程と、
を備え、該成形方法で成形されることにより、前記枠体が成形されると同時に、前記角部に補強部材がインサートされて固着されることを特徴とする。
したがって、樹脂系材料によって略矩形状に一体成形された枠体の少なくとも１つの角部は略中実状に形成され、その角部の肉厚内において補強部材がインサートされて固着されている。このため、枠体の角部に後付によって補強部材を組み付ける手間を解消することができるるとともに、補強部材の露出による見栄えの悪化を防止しながら、枠体の角部を強固に補強することができる。
【０００５】
また、第２の発明は、枠体の略中実状の角部以外の部分に肉抜き部を設けることによって、軽量化や材料節減を図るものとしても良い。
【０００６】
第３の発明は、枠体の樹脂系材料として木質系粉末材料と合成樹脂材料との混合材料を用いるものとしても良い。これによって、合成樹脂材料のみで成形した場合に比較して、枠体を成形した後の材料収縮率を低く押さえることができる。この結果、略中実状の角部に対するヒケの発生を軽減することができ、ヒケによる見栄えの悪化も防止することができる。また、木質系粉末材料の混入によって、枠体は釘打ちやビス締め等にも充分に耐えることができる。このため、遊技機の島設備に対し、枠体の一部を釘打ちによって固定する場合においても、枠体の釘打ち部分にひび割れや亀裂が発生する不具合も生じない。
【０００７】
【発明の実施の形態】
【０００８】
【発明の実施の形態】
この発明の実施の形態を図面にしたがって説明する。
パチンコ機を正面側から視た斜視図で表した図１１、外枠体に対し基盤を開いて正面側から視た斜視図で表した図１２、及び外枠体に対し基盤を開きかつその基盤に対し裏セット部材を開いた状態を斜視図で表した図１３において、遊技機としてのパチンコ機１は、遊技機の島設備に対し釘打ちによって固定される略矩形枠状の枠体としての外枠体５０と、その外枠体５０の前側に開閉可能に装着されかつ遊技機本体として機能する基盤１０（前枠とも呼ばれている）とを主体として構成されている。
基盤１０は、遊技盤１３前面の略全体を露出する開口部を有するとともに、その裏面の開口部周縁に沿って支持枠１１が設けられている。支持枠１１には遊技盤１３が着脱可能に嵌込まれ、その遊技盤１３裏面の周縁部が後述する裏セット部材２０に押さえられて支持されている。
【０００９】
また、図１３に示すように、基盤１０の裏面側には、その支持枠１１の片側の枠部において、裏セット部材２０が開閉可能に組み付けられている。この裏セット部材２０の裏面側には、その上部から下部に向けて球タンク、タンクレール、球払出装置等が装着されている。
また、図１３に示すように、基盤１０の支持枠１１には、裏セット部材２０を閉じ状態に保持するための複数の締付具１９が組み付けられている。そして、まず、支持枠１１に遊技盤１３が嵌込まれ、次に、裏セット部材２０が閉じられ、その裏セット部材２０が複数の締付具１９によって閉じ状態に保持されることで、基盤１０の支持枠１１に裏セット部材２０を介して遊技盤１３が固定状態でされるようになっている。また、これとは逆に、複数の締付具１９を外して裏セット部材２０を開いた状態のもとで、基盤１０の裏面側からその支持枠１１に対し遊技盤１３が着脱されるようになっている。
【００１０】
図１２に示すように、遊技盤１３の前面には平帯状のレール１６が装着され、そのレール１６の内側において遊技領域１５が区画されている。
また、レール１６は、その片側に内側レール部と外側レール部とを有し、これら内外のレール部の間には発射案内路１７が構成されている。また、遊技盤１３の遊技領域１５内には、遊技構成部材としての各種の入賞装置、役物装置、図柄表示装置、アタッカ装置、ゲート口、風車器、誘導釘等（図示しない）が配設されている。そして、発射ハンドル装置２３を操作して発射ハンマーを作動することによって発射位置にある球（パチンコ球）がレール１６の発射案内路１７に案内されて遊技領域１５に打ち出されるようになっている。また、遊技盤１３の裏面側には、その遊技盤１３に装着された各種の入賞装置、役物装置、図柄表示装置、アタッカ装置等の遊技構成部材（図示しない）を制御する制御ボックス装置（図示しない）が装着されている。
【００１１】
また、図１３に示すように、基盤１０裏面の自由端側には、上下二つの基盤施錠用フック２１が上下方向にスライド可能に組み付けられ、外枠体５０に対し基盤１０が閉じられたときには、その基盤施錠用フック２１が外枠体５０に固定の係合部材９５に係合し、これによって外枠体５０に対し基盤１０が閉じ状態に施錠されるようになっている（図１参照）。
図１１と図１２に示すように、基盤１０の前側には、表枠３０（ガラス扉、ガラス枠等とも呼ばれている）がその一側に配設されたヒンジ機構によって開閉可能に装着されている。この表枠３０には、遊技盤１３の遊技領域１５を透視可能な略円形の開口窓３１が形成されている。そして、表枠３０の裏面側には、開口窓３１を透視可能に塞ぐ前後二枚のガラス板を保持するガラス枠３３が設けられている。
また、基盤１０の前側には、表枠３０の下方に隣接して下板４０が開閉可能に装着され、その下板４０の前面には上皿４３が設けられている。
また、基盤１０の前面には、その下板４０の下方に位置して球発射用の発射ハンドル装置２３や下皿２４等が組み付けられている。
【００１２】
図１と図２に示すように、枠体としての外枠体５０は、木質系粉末材料（例えば、杉材、檜材、松材、ラワン材、チーク材等の単一又は複合の木質系粉末材料）と、合成樹脂材料（例えば、ポリプロピレン、ポリエチレン、ＡＢＳ樹脂等の熱可塑性合成樹脂材料）とが所要とする混合比率で混合された混合材料による射出成形によって一体成形されている。例えば、前記混合材料としては、木質系粉末材料と合成樹脂材料とが重量比で６対４〜４対６程度の割合で混合された混合材料が用いられている。そして、外枠体５０は、上枠部５１、左右の両側枠部６０、６１及び下枠部７０を一体に備えて略矩形枠状に構成されている。
【００１３】
また、この実施の形態において、図１と図２に示すように、外枠体５０の上枠部５１と左右の両側枠部６０、６１とがなす角部５４、５６の内側部は、射出成形によってアール面５５、５７に形成され、これによって角部５４、５６が肉厚に形成されて強度が高められるとともに、その角部５４、５６に作用する荷重をアール面５５、５７において分散して受けるようになっている。また、左右の両側枠部６０、６１の前面下部、及び下枠部７０の前部上面にわたって、基盤１０の下端面を受け支える下受板７５が一体成形されている。
このように、外枠体５０の上部左右の両角部５４、５６がアール面５５、５７によって補強され、下部左右の両角部が下受板７５によって補強されることで、外枠体５０を長期間にわたって所要とする矩形の形状に維持できるようになっている。
【００１４】
前記したように、射出成形によって一体成形された外枠体５０において、その各角部のうち、少なくとも１つの角部は略中実状に形成されている。この実施の形態において、外枠体５０の上部左右の両角部５４、５６がそれぞれ略中実状に形成されている。
また、外枠体５０の上下の枠部５１、７０と左右の両側枠部６０、６１のうち、少なくとも一辺をなす枠部の長手方向には、肉抜き部とリブとがそれぞれ設けられている。この実施の形態において、外枠体５０の上枠部５１と下枠部７０の長手方向（横方向）には、肉抜き部５２、７６とリブ５３、７７とがそれぞれ形成され、左右の両側枠部６０、６１の長手方向（縦方向）には、肉抜き部６２、６３とリブ６４、６５とがそれぞれ形成されている。
【００１５】
また、外枠体５０の上枠部５１、下枠部７０及び左右の両側枠部６０、６１の各部の肉抜き部５２、７６、６２、６３は、これら各枠部の板厚内において、外枠体５０の裏面側から奥行き方向に向けて凹設されている。さらに、上枠部５１、下枠部７０及び左右の両側枠部６０、６１の各リブ５３、７７、６４、６５は、各部の肉抜き部５２、７６、６２、６３をそれぞれ区画するようにして各部の肉抜き部５２、７６、６２、６３の相対する内壁面の間に跨って設けられている。
また、各部の肉抜き部５２、７６、６２、６３は、外枠体５０の上枠部５１、下枠部７０及び左右の両側枠部６０、６１の各枠部の厚さ方向の寸法よりもこれら各枠部の長手方向の寸法が適宜に大きく設定されている。すなわち、図１〜図６に示すように、各部の肉抜き部５２、７６、６２、６３は、各枠部の長手方向に長い長穴状に形成されている。
【００１６】
また、図１に示すように、外枠体５０上部の略中実状をなす一方の角部５４には、開閉部材としての基盤１０を開閉可能に支持するための上下一対のヒンジ部材のうち、上側のヒンジ部材８０がビスや釘によって取り付けられている。
このヒンジ部材８０は、金属製で、例えば、鉄板等の金属板の曲げ加工等によって形成されている。そしてヒンジ部材８０は、補強部材としても機能するものであり、角部５４の上面に沿う上板部８１と、角部５４の外側面に沿う側板部８２とを備えて略Ｌ字状に形成されている。そして、外枠体５０の一方の角部５４に対し、ヒンジ部材８０の上板部８１及び側板部８２を通してビスがねじ込まれたり、あるいは釘が打ち込まれることによって、外枠体５０の一方の角部５４にヒンジ部材８０が強固に固定されるようになっている。
また、ヒンジ部材８０の上板部８１の前縁には、ヒンジ片８３が前方に向けて略水平上に延出されている。このヒンジ片８３の先端部寄り部分には、基盤１０の上側のヒンジ部材に設けられたヒンジピンが挿脱可能に嵌挿されるヒンジ孔を有するヒンジ筒８４が一体に設けられている。
【００１７】
また、この実施の形態において、上下一対のヒンジ部材のうち、下側のヒンジ部材８５は、外枠体５０の一方の側枠部６０の下部に固定されている。
図１、図２及び図５に示すように、下側のヒンジ部材８５は、金属製で、例えば、鉄板等の金属板の曲げ加工等によって形成されている。この下側のヒンジ部材８５は、側枠部６０の内面に沿う側板部８６と、その側板部８６の下端から下受板７５の上面に沿って折り曲げられた下板部８７とを備えて略Ｌ字状に形成されている。そして、外枠体５０の一方の側枠部６０の下部外側面に凹設された溝７３に配置された当て板８９とヒンジ部材８５の側板部８６との間に一方の側枠部６０を間に挟んで、これら当て板８９と側板部８６とをボルト・ナット、あるいはリベット等によって結合することによって、外枠体５０の一方の側枠部６０の下部にヒンジ部材８５が強固に固定されるようになっている。
また、ヒンジ部材８５の下板部８７の前縁には、基盤１０の下側のヒンジ部材に設けられたヒンジ孔に挿脱可能に嵌挿されるヒンジピン８８が上方に向けて一体状に突設されている。
【００１８】
また、この実施の形態において、外枠体５０の他方の側枠部６０内面の上下部には、開閉部材としての基盤１０の基盤施錠用フック２１に係脱可能に係合して基盤１０を閉じ状態に施錠するための係合片を有する係合部材９５が、その基片においてビス等によって固定されている。この係合部材９５は、金属製で、例えば、鉄板等の金属板の曲げ加工等によって形成されている。
【００１９】
また、この実施の形態において、外枠体５０の上部左右の両角部５４、５６のうち、略中実状をなす他方の角部５６には、鉄板等の金属板の曲げ加工等によって形成される補強部材９０が埋め込み状に設けられている。
すなわち、外枠体５０を一体成形すると同時に、その外枠体５０の他方の角部５６に補強部材９０をインサートする場合、予め、成形型内に補強部材９０が位置決めされてセットされる。その後、木質系材料と合成樹脂材料との混合材料（溶融状態の混合材料）が成形型のキャビティ内に射出されることで、外枠体５０が成形されると同時に、その外枠体５０の他方の角部５６に補強部材９０がインサートされて一体化する。
【００２０】
図８〜図１０に示すように、補強部材９０は、角部５６の一辺（上枠部５１に延びる部分）に沿う第１の翼片９１と、角部５６の他辺（側枠部６１に延びる部分）に沿う第２の翼片９２とをそれぞれ備えて略Ｌ字状に形成をなしている。
また、所定の使用期間を経たパチンコ機１を解体する際に、外枠体５０から補強部材９０を分離し易くするために、補強部材９０の第１、第２の各翼片９１、９２の所定位置には、取外用の工具が差し込み可能な取外孔９３、９４が形成されている。
一方、外枠体５０の角部５６裏面の所定位置には、各取外孔９３、９４に取外用工具を差し込むための差込溝１１１、１１２が、外枠体５０の成形と同時にそれぞれ形成されている。
【００２１】
上述したように構成されるこの実施の形態に係るパチンコ機１において、樹脂系材料による射出成形によって外枠体５０を略矩形枠状に一体成形する。
この際、外枠体５０の角部５６の肉厚内において補強部材９０がインサートされて固着される。このため、外枠体５０を成形した後、その外枠体５０の角部５６に対し補強部材９０を組み付ける手間を省くことができる。
このようにして外枠体５０の角部５６に補強部材９０がインサートされて固着されることで、補強部材９０の露出による見栄えの悪化を防止しながら、角部５６を強固に補強することができる。そして、補強部材９０によって外枠体５０の角部５６の内側角部に亀裂やひび割れが発生する不具合を防止することができる。
【００２２】
また、この実施の形態において、外枠体５０の上枠部５１と左右の両側枠部６０、６１とがなす角部５４、５６の内側部は、射出成形によってアール面５５、５７に形成され、これによって角部５４、５６が肉厚に形成されて強度が高められるとともに、その角部５４、５６に作用する荷重をアール面５５、５７において分散して受けることができる。このため、外枠体５０の角部５４、５６の強度が良好に維持され、耐久性に優れた外枠体５０に成し得る。
また、この実施の形態において、外枠体５０の樹脂系材料として木質系粉末材料と合成樹脂材料との混合材料が用いられている。
このため、合成樹脂材料のみで成形した場合に比較して、外枠体５０を成形した後の材料収縮率を低く押さえることができる。
この結果、外枠体５０の各枠部や略中実状の角部５４、５６に対するヒケの発生を軽減することができ、ヒケによる見栄えの悪化も防止することができる。
また、木質系粉末材料の混入によって、外枠体５０は釘打ちやビス締め等にも充分に耐えることができる。このため、遊技機の島設備に対し、外枠体５０の上枠部５１と下枠部７０とのうち、少なくとも一方の枠部を釘打ちによって固定する場合においても、その枠部の釘打ち部分にひび割れや亀裂が発生する不具合も生じない。
【００２３】
所定の使用期間を経たパチンコ機１を解体しリサイクル使用するに際し、外枠体５０の角部５６から補強部材９０を抜き取る場合、外枠体５０の角部５６裏面の差込溝１１１、１１２において、取外用工具を、補強部材９０の第１、第２の各翼片９１、９２の取外孔９３、９４に挿通する。その後、取外用工具によって外枠体５０の角部５６から補強部材９０を強制的に引き抜くことによって、外枠体５０の角部５６から補強部材９０が分離するため、補強部材９０が容易に取り外される。
また、外枠体５０に装着されたその他の金属部品（ヒンジ部材８０、８５、係合部材９５）は、これらを固定している釘やビスを抜き取ることによって容易に取り外される。
前記したように、外枠体５０から補強部材９０を含む金属部品を取り外した後、外枠体５０を適宜に粉砕して、新たな外枠体５０の成形材料（樹脂系材料、この実施の形態では木質系粉末材料と合成樹脂材料との混合材料）として使用することも可能である。
【００２４】
また、この実施の形態において、外枠体５０の上枠部５１、下枠部７０、及び左右の両側枠部６０、６１の長手方向に対し、肉抜き部５２、７６、６２、６３と、リブ５３、７７、６４、６５とをそれぞれ交互に設けることで、肉抜き部５２、７６、６２、６３が原因となる強度劣化をリブ５３、７７、６４、６５によって防止することができる。言い換えると、外枠体５０の上枠部５１、下枠部７０、及び左右の両側枠部６０、６１の長手方向に対する、肉抜き部５２、７６、６２、６３の存在割合を高くしても、リブ５３、７７、６４、６５によって強度劣化を防止することができるため、軽量化や材料節減において効果が大きい。
【００２５】
また、この実施の形態において、外枠体５０の上枠部５１、下枠部７０、及び左右の両側枠部６０、６１の各肉抜き部５２、７６、６２、６３は、同外枠体５０の裏面側から奥行き方向に向けて凹設されているため、外枠体５０の前面に各肉抜き部５２、７６、６２、６３が隠蔽された状態となり、肉抜き部５２、７６、６２、６３による見栄えの悪化が生じない。
また、外枠体５０の上枠部５１、下枠部７０、及び左右の両側枠部６０、６１の各リブ５３、７７、６４、６５は、各肉抜き部５２、７６、６２、６３を区画するようにして、これら各肉抜き部５２、７６、６２、６３の内壁面の間に跨って設けられている。このため、上枠部５１、下枠部７０、及び左右の両側枠部６０、６１が肉抜き部５２、７６、６２、６３において不測に拡開変形することを防止することができる。
【００２６】
また、この実施の形態において、外枠体５０の上枠部５１、下枠部７０、及び左右の両側枠部６０、６１の各肉抜き部５２、７６、６２、６３は、これら各枠部５１、７０、６０、６１の厚さ方向の寸法よりも同枠部５１、７０、６０、６１の長手方向の寸法が大きく設定されている。このため、上枠部５１、下枠部７０、及び左右の両側枠部６０、６１の各枠部の長手方向に対する各肉抜き部５２、７６、６２、６３の数を少なくしながら各枠部の長手方向に占める肉抜き部５２、７６、６２、６３の割合を大きくして軽量化や材料節減を図ることが可能となるばかりでなく、成形型に対する外枠体５０の脱型も容易となる。
【００２７】
また、開閉部材としての基盤１０を開閉可能に装着するためのヒンジ部材８０を外枠体５０の一つの略中実状をなす角部５４を取付部として取り付けることによって、その角部５４に対し、ヒンジ部材８０を強固に取り付けることができる。このため、外枠体５０に対し開閉部材としての基盤１０を安定よく開閉動作することができ、その基盤１０の開閉に支障をきたす不具合を防止することができる。
【００２８】
なお、この発明は、前記実施の形態に限定するものではない。
例えば、前記実施の形態においては、枠体としての外枠体５０を、木質系粉末材料と合成樹脂材料との混合材料の射出成形によって略矩形状に一体成形する場合を例示したが、圧縮成形等によって一体成形することも可能である。
また、外枠体５０を所望とする単一の合成樹脂材料によって一体成形してもよい。
また、前記実施の形態においては、外枠体５０の上枠部５１、下枠部７０、及び左右の両側枠部６０、６１の裏面（後面）側から奥行き方向（前方）に向けて肉抜き部５２、７６、６２、６３が凹設される場合を例示したが、外枠体５０の上枠部５１、下枠部７０、及び左右の両側枠部６０、６１の表面（前面）側から奥行き方向（後方）に向けて肉抜き部５２、７６、６２、６３を凹設してもよい。さらに、外枠体５０の上枠部５１、下枠部７０、及び左右の両側枠部６０、６１の表裏両面（前後両面）側から奥行き方向に向けてそれぞれ肉抜き部を凹設してもよい。
また、外枠体５０の上枠部５１、下枠部７０、及び左右の両側枠部６０、６１の内側面に肉抜き部を凹設してもよく、外側面に肉抜き部を凹設してもよい。
さらに、外枠体５０の上枠部５１、下枠部７０、及び左右の両側枠部６０、６１に肉抜き部を貫通孔状に形成してもよい。
また、前記実施の形態においては、外枠体５０の上枠部５１、下枠部７０、及び左右の両側枠部６０、６１の長手方向に対し、肉抜き部５２、７６、６２、６３と、リブ５３、７７、６４、６５とをそれぞれ交互に設けたが、外枠体５０の上枠部５１、下枠部７０、及び左右の両側枠部６０、６１のうち、１つの枠部に対してのみ、肉抜き部を設けることによっても、軽量化や材料節減の効果がある。
【００２９】
また、前記実施の形態においては、外枠体５０の他方の略中実状をなす角部５６の裏面（後面）側から、補強部材９０をインサート成形によって埋め込み状に設けたが、角部５６の表面（前面）側から、補強部材９０をインサートによって埋め込み状に設けてもよい。
また、前記実施の形態においては、外枠体５０上部の略中実状をなす一方の角部５４の外側角部に沿ってヒンジ部材８０がビスや釘によって取り付けられる場合を例示したが、外枠体５０の角部５４の表面（前面）側から、ヒンジ部材８０をインサート成形によって埋め込み状に設けてもよい。この場合、ヒンジ部材８０は、補強部材としても機能する。
また、前記実施の形態においては、枠体としての外枠体５０を略額縁の矩形枠状に一体成形される場合を例示したが、外枠体５０の後側に背面板部を備えて略矩形の箱形状に一体成形することも可能である。
また、パチンコ機１以外の弾球遊技機やスロットマシン等の遊技機の枠体としても採用することができる。
【００３０】
【発明の効果】
以上述べたように、この発明によれば、樹脂系材料によって略矩形枠状に一体成形された枠体の成形と同時に、その略中実状をなす角部の肉厚内に補強部材をインサートによって固着することができる。このため、後付けによって補強部材を組み付ける手間を解消することがるとともに、補強部材による見栄えの悪化を防止しながら枠体の角部を効率よく補強することができる。
【図面の簡単な説明】
【図１】この発明の実施の形態に係るパチンコ機の外枠体を裏面側から示す斜視図である。
【図２】同じく外枠体を裏面側から示す背面図である。
【図３】同じく外枠体を示す平面図である。
【図４】同じく図２のＩＶ−ＩＶ線に基づく平断面図である。
【図５】同じく図２のＶ−Ｖ線に基づく平断面図である。
【図６】同じく外枠体を示す側面図である。
【図７】同じく図２のＶＩＩ−ＶＩＩ線に基づく側断面図である。
【図８】同じく外枠体の角部にインサート用の補強部材が設けられた状態を外枠体の裏面側から拡大して示す斜視図である。
【図９】同じく角部に対するインサート用の補強部材を示す斜視図である。
【図１０】同じく外枠体の角部に補強部材がインサート成形によって埋設された状態を示す断面図である。
【図１１】同じく遊技機としてのパチンコ機全体を正面側から示す斜視図である。
【図１２】同じく外枠体に対し基盤を開いて正面側から視た斜視図である。
【図１３】同じく外枠体に対し基盤を開きかつその基盤に対し裏セット部材を開いた状態を示す斜視図である。
【符号の説明】
１  パチンコ機（遊技機）
１０  基盤（遊技機本体）
５０  外枠体（枠体）
５１  上枠部
５２  肉抜き部
５３  リブ
５４、５６  角部
６０、６１  側枠部
６２、６３  肉抜き部
６４、６５  リブ
７０  下枠部
７６  肉抜き部
７７  リブ
８０  ヒンジ部材
９０  補強部材
【図１】
0004604219.tif 000002
【図２】
0004604219.tif 000003
【図３】
0004604219.tif 000004
【図４】
0004604219.tif 000005
【図５】
0004604219.tif 000006
【図６】
0004604219.tif 000007
【図７】
0004604219.tif 000008
【図８】
0004604219.tif 000009
【図９】
0004604219.tif 000010
【図１０】
0004604219.tif 000011
【図１１】
0004604219.tif 000012
【図１２】
0004604219.tif 000013
【図１３】
0004604219.tif 000014